(57)【要約】      （修正有）【課題】平地だけでなく、傾斜地における刈払い作業を作業者の負担増を招来することなく、スムーズに行えるようにした刈払い機を提供する。【解決手段】ハンドル杆をパイプシャフトに対し直交する方向に伸びて取付けブラケットによって固定した刈払い機において、取付けブラケット１５が第１、第２、第３のブラケット部品からなり、パイプシャフト１１は第１、第２のブラケット部品の間に挟まれた状態にてシャフト締結用ねじの締付けによる固定構造をなし、ハンドル杆１６は第２、第３のブラケット部品の間に挟まれた状態にてハンドル締結用ねじの締付けによる固定構造をなし、シャフト締結用ねじの頭部にはねじ弛緩締付け操作用のレバー２０が取付けられている。【選択図】図２
0003206583.tif 000002
【実用新案登録請求の範囲】
【請求項１】
パイプシャフトは後端部に駆動源を有するとともに、先端部に回転刃を有し、回転刃と駆動源とが駆動軸で連携された構造をなし、パイプシャフトの駆動源側にハンドル杆がパイプシャフトに対し直交する方向に伸びて取付けブラケットによって固定された刈払い機において、
上記取付けブラケット（１５）が第１、第２、第３のブラケット部品（１５Ａ、１５Ｂ、１５Ｃ）からなり、上記パイプシャフト（１１）は上記第１、第２のブラケット部品（１５Ａ、１５Ｂ）の間に挟まれた状態にてシャフト締結用ねじ（２２、２３）の締付けによる固定構造をなす一方、上記ハンドル杆（１６）は上記第２、第３のブラケット部品（１５Ｂ、１５Ｃ）の間に上記パイプシャフト（１１）に対して直交する方向に伸びて挟まれた状態にてハンドル締結用ねじ（２１）の締付けによる固定構造をなし、上記シャフト締結用ねじ（２３）の頭部には該シャフト締結用ねじ（２３）の弛緩締付け操作用のレバー（２０）が取付けられており、上記ハンドル杆（１６）が上記ブラケット（１５）とともにパイプシャフト（１１）の廻りに回転されて任意の角度に取付け可能となっていることを特徴とする刈払い機。
【請求項２】
上記パイプシャフト（１１）が２本のシャフト締結用ねじ（２２、２３）によって第１、第２のブラケット部品（１５Ａ、１５Ｂ）の間には挟持固定され、２本のうちの１本のシャフト締結用ねじ（２３）に弛緩締付け操作用のレバー（２０）が取付けられている請求項１記載の刈払い機。
【考案の詳細な説明】
【技術分野】
【０００１】
本考案は刈払い機に関し、特に平地だけでなく、傾斜地における刈払い作業を作業者の負担増を招来することなく、スムーズに行えるようにした刈払い機に関する。
【背景技術】
【０００２】
例えば、水田の畦や畑、山林に生えた雑草等を刈り取る場合、刈払い機が広く用いられている。
【０００３】
刈払い機ではパイプシャフトの後端部に小型エンジンを搭載し、両端に立ち上がったグリップを有するハンドル杆を小型エンジン近くのパイプシャフトに横方向に伸びて固定し、パイプシャフトの先端に回転刃を回転自在に装備し、小型エンジンの駆動力をパイプシャフト内の伝達軸によって回転刃に伝え、回転刃を回転させて雑草等を刈り取るようになっている。
他方、作業者はシャフトに装備された肩掛けベルトを肩に掛け、肩掛けベルトの長さを調整し、回転刃を可能な限り地面に対して平行にし、ハンドル杆両端のグリップを握って回転刃を左右に振りながら雑草等の刈払い作業を行っている。
【０００４】
ところで、傾斜地の雑草等を刈り取る場合、回転刃が傾斜地に衝突すると、作業者が衝撃を受けたり、飛び石が発生して本人や周囲の人に当たって怪我をするおそれがあることから、刈払機を持ち上げたり、作業姿勢を変えたりすることによって、回転刃を傾斜地に対して平行に保つようにしているが、作業者の負担が大きい。
【０００５】
他方、パイプシャフトの小型エンジン側にグリップを設け、パイプシャフトの中間にループ状のハンドルを装備し、グリップとハンドルを使用してパイプシャフトを前後に持ち、傾斜地に対して回転刃を平行に保って刈払い作業を行うようにした刈払い機が提案されている（特許文献１）。
【０００６】
また、横方向に伸びるハンドル杆とパイプシャフトとの取付け部位近くに、第２のグリップを起立して設け、ハンドル杆のグリップと第２のグリップを使用して傾斜地に対して回転刃を平行に保って刈払い作業を行うようにした刈払い機が提案されている（特許文献２）。
【０００７】
さらに、パイプシャフトの回転刃近傍に水平軸を設けてパイプシャフトの先端部分を揺動自在に構成し、パイプシャフト内の駆動軸途中にばね部材を連結するとともに水平軸に貫通させて駆動力を可能とし、グリップの操作レバーを操作してパイプシャフトの先端部分を水平軸の廻りに揺動させて回転刃の角度を調整し、傾斜地に対して回転刃を平行に保って刈払い作業を行うようにした刈払い機が提案されている（特許文献３）。
【先行技術文献】
【特許文献】
【０００８】
【特許文献１】特開２０１４−１４３９２５号公報
【特許文献２】実用新案登録第３０４７７４９号公報
【特許文献１】特開２００８−１４２０７２号公報
【考案の開示】
【考案が解決しようとする課題】
【０００９】
しかし、特許文献１記載の刈払い機ではパイプシャフトを左右に振るときに、グリップを握った一方の手を基準に、ループ状ハンドルを握った他方の手を大きく動かす必要があって、他方の腕への負担が大きく、疲れやすいという問題があった。
【００１０】
また、特許文献２記載の刈払い機では刈払い作業中に、回転刃に絡みついた雑草などを手を伸ばして取り除こうとすると第２のグリップが邪魔になって煩わしいという問題があった。
【００１１】
さらに、特許文献３記載の刈払い機ではパイプシャフト先端の回転刃が水平軸の廻りに揺動する構造であるので、作業者が刈払い機を身体の前方に持ち上げ、傾斜地の下側に立って回転刃を左右に振って刈払い作業を行うには適しているものの、実際の刈払い作業では作業者が傾斜地に上って雑草などの刈払い作業を行うことが多く、依然として無理な姿勢で刈払い作業を行う必要があった。
【００１２】
本考案はかかる問題点に鑑み、平地だけでなく、傾斜地における刈払い作業を作業者の負担増を招来することなく、スムーズに行えるようにした刈払い機を提供することを課題とする。
【課題を解決するための手段】
【００１３】
そこで、本考案に係る刈払い機は、パイプシャフトは後端部に駆動源を有するとともに、先端部に回転刃を有し、回転刃と駆動源とが駆動軸で連携された構造をなし、パイプシャフトの駆動源側にハンドル杆がパイプシャフトに対し直交する方向に伸びて取付けブラケットによって固定された刈払い機において、上記取付けブラケットが第１、第２、第３のブラケット部品からなり、上記パイプシャフトは上記第１、第２のブラケット部品の間に挟まれた状態にてシャフト締結用ねじの締付けによる固定構造をなす一方、上記ハンドル杆は上記第２、第３のブラケット部品の間に上記パイプシャフトに対して直交する方向に伸びて挟まれた状態にてハンドル締結用ねじの締付けによる固定構造をなし、上記シャフト締結用ねじの頭部には該シャフト締結用ねじの弛緩締付け操作用のレバーが取付けられており、上記ハンドル杆が上記パイプシャフトの廻りに上記ブラケットととにも回転されて任意の角度に取付け可能となっていることを特徴とする。
【００１４】
本考案の特徴の１つはレバー操作によってブラケットをパイプシャフトに対して回転可能となし、所望の角度でレバー操作してブラケットを固定できるようにした点にある。
これにより、ハンドル杆をパイプシャフトの廻りに回動させ、傾斜地の傾きに応じた角度に傾けることができるので、傾斜地に上がって雑草などの刈払い作業を行うときに身体を真っ直ぐにした姿勢で刈払い作業を行うことができ、作業者の負担が少ない。
また、ハンドル杆を採用しているので、両手でグリップを握って左右に振ればよく、疲労も少ない。
さらに、刈払い作業中に、回転刃に絡みついた雑草などを手を伸ばして取り除くことができ、特許文献２の刈払い機に比較して煩わしさが少ない。
【００１５】
シャフト締結用ねじの数は特に限定されないが、パイプシャフトを２本のシャフト締結用ねじによって第１、第２のブラケット部品の間に挟持固定し、２本のうちの１本のシャフト締結用ねじに弛緩締付け操作用のレバーを取付けるのがよい。
【図面の簡単な説明】
【００１６】
【図１】本考案に係る刈払い機の好ましい実施形態を示す平面図である。
【図２】上記実施形態を示す斜視図である。
【図３】上記実施形態における第１のブラケット部品を示す図である。
【図４】上記実施形態におけるパイプシャフト、ハンドル杆及び第１、第２、第３のブラケット部品の組付け構造を示す図である。
【図５】上記実施形態の刈払い姿勢を示す図である。
【図６】従来の刈払い姿勢を示す図である。
【考案を実施するための形態】
【００１７】
以下、本考案を図面に示す具体例に基づいて詳細に説明する。図１ないし図５は本考案に係る刈払い機の好ましい実施形態を示す。本例の刈払い機１０ではパイプシャフト１１の後端部に小型エンジン１２が装備され、パイプシャフト１１の先端部には回転刃１３が回転自在に装備され、小型エンジン１２と回転刃１３とはパイプシャフト１１内に伸びる駆動軸（図示せず）によって連携され、小型エンジン１２の駆動力が回転刃１３に伝達されるようになっている。
【００１８】
パイプシャフト１１の小型エンジン１２側にはハンドル杆１６がパイプシャフト１１に対して直交する方向に伸び、取付けブラケット１５によって固定され、ハンドル杆１６の両端部分は上方に立ち上がり該立ち上がり部分にはグリップ１７が外嵌され、又右側グリップ１７の近傍には小型エンジン１２の回転数を制御するコントロールレバー１８が取付けられている。
【００１９】
また、パイプシャフト１１のハンドル杆１５と小型エンジン１２の間には肩掛けベルト１９が着脱可能にフック掛けされ、パイプシャフト１１の先端側には飛び石避けのカバー１４が取付けられている。
【００２０】
取付けブラケット１５は第１、第２、第３のブラケット部品１５Ａ、１５Ｂ、１５Ｃからなり、第１、第２のブラケット部品１５Ａ、１５Ｂの間にはパイプシャフト１１が挟まれ、２本のシャフト締結ねじ２２、２３の締付けによって固定されている。他方、第２、第３のブラケット部品１５Ｂ、１５Ｃの間にはハンドル杆１６が挟まれ、四隅のハンドル締結ねじ２１の締付けによって固定されている。
【００２１】
そして、２本のうちの１本のシャフト締結ねじ２３の頭部には弛緩締付け操作用のレバー２０が外嵌され、レバー２０の操作によって第１、第２のブラケット部品１５Ａ、１５Ｂの締付けを弛めたり締付けたりすることができるようになっている。
【００２２】
平坦な地面で雑草などを刈払いする場合、ハンドル杆１５は回転刃１３の板面に対して平行に伸びるようにセットし、レバー２０の操作によって第１、第２のブラケット部品１５Ａ、１５Ｂを締付け固定する。
【００２３】
この状態の刈払い機１０の小型エンジン１２を始動させ、肩掛けベルト１９を肩に掛け、グリップ１７を両手で握り、パイプシャフト１１を斜めにし、回転刃１３を地面に対して平行に保ちながら回転刃１３を左右に振り、雑草などを刈払いする。
【００２４】
傾斜地の雑草などを刈払いする場合、レバー２０を操作して第１、第２のブラケット部品１５Ａ、１５Ｂの締付けを弛め、ハンドル杆１５が傾斜地の傾きに応じて角度になるようにブラケット１５をパイプシャフト１１の廻りに回動させた後、レバー２０を締付けて第１、第２のブラケット部品１５Ａ、１５Ｂを締付け固定する。
【００２５】
従来の刈払い機のように、ハンドル杆１６が回転刃１３の板面に平行な状態で傾斜地の雑草などを刈払いする場合には図６に示されるように、上半身を傾斜地に対して起立した姿勢、つまり平坦な地面に対して向いた姿勢にしないと、回転刃１３が傾斜地に対して平行とはならず、その姿勢でハンドル杆１６を左右に振ると、無理な姿勢を保って刈払い作業を行う必要があるので、作業者の負担が大きい。
【００２６】
これに対し、本例の刈払い機１０ではレバー２０の操作によって取付けブラケット１５を弛めた後、ハンドル杆１５を回転刃１３の板面に対して傾かせ、レバー２０の操作によって固定できるので、図５に示されるように、上半身を平坦な地面に対して起立させた自然な姿勢で、ハンドル杆１６を左右にスムーズに振って傾斜地の雑草などの刈払いを行うことができる結果、作業者の負担を招来することがなく、疲労も少ない。
【符号の説明】
【００２７】
１０      刈払い機
１１      パイプシャフト
１２      小型エンジン
１３      回転刃
１５      取付けブラケット
１５Ａ      第１のブラケット部品
１５Ｂ      第２のブラケット部品
１５Ｃ      第３のブラケット部品
１６      ハンドル杆
２０      レバー
２１      ハンドル締結用ねじ
２２、２３      シャフト締結用ねじ
【図１】
0003206583.tif 000003
【図２】
0003206583.tif 000004
【図３】
0003206583.tif 000005
【図４】
0003206583.tif 000006
【図５】
0003206583.tif 000007
【図６】
0003206583.tif 000008